(57)【要約】【課題】架台にボルト孔を開ける作業が不要となり、土台およびモジュールを架台の任意の位置で接続できる。【解決手段】ラックｂのフラット状上面部８ｂの端縁部を折曲する上方係止部８の所定個所に、脚部７ａ、７ｂの上方部を切欠する上向き凹部６を嵌込み、中心ボルト１０を上方つかみ金具７の孔５と、前記金具７の上方の上方受け金具ｄの孔１１に貫通して中央ナット２２を螺着する。受け金具ｄの上方に一側端縁部１２を上方に折曲する係止部１３を有し、左側ボルト１４を貫通する孔１５付き左側ブラケットｅと、一側端縁部１６を上方に折曲する係止部１７を有し、右側ボルト１４ａを貫通する孔１９付き右側ブラケットｅを、左右のブラケットｅの係止部１３、１７を対向状にし、左脚部２８と右脚部２９とを有する孔２１付き押え金具ｆを両ブラケットｅ、ｅの係止部１３、１７が押え金具ｆの左脚部２８と右脚部２９の内側方に位置するようにして被せる。【選択図】     図１
2011181565.tif 000002
【特許請求の範囲】
【請求項１】
ラックｂのフラット状上面部８ｂの端縁部を折曲し形成する上方係止部８の所定個所に、上方つかみ金具７を形成する脚部７ａ、７ｂの上方部を切欠する上向き凹部６を嵌込み、中心ボルト１０を前記上方つかみ金具７の孔５と、前記上方つかみ金具７の上方に位置する上方受け金具ｄの孔１１に夫々貫通して中央ナット２２を螺着し組立てると共に、前記受け金具ｄの上方に一側端縁部１２を上方に折曲する係止部１３を有し、且左側ボルト１４を貫通する孔１５付き左側ブラケットｅと、一側端縁部１６を上方に折曲する係止部１７を有し、且右側ボルト１４ａを貫通する孔１９付き右側ブラケットｅを、前記左側ブラケットｅと前記右側ブラケットｅの係止部１３、１７を対向状にしてセットし、左脚部２８と右脚部２９とを有する孔２１付き押え金具ｆを前記両ブラケットｅ、ｅの係止部１３、１７が前記押え金具ｆの左脚部２８と右脚部２９の内側方に位置するようにして被せると共に、前記左右両側ブラケットｅ、ｅの孔１５、１９に左側ボルト１４と右側ボルト１４ａを挿入し、左ナット２３と右ナット２４を介して太陽電池モジュールｇ、ｇを固着せしめた後、前記中心ボルト１０を前記押え金具ｆの孔２１に貫通し、上方ナット２３ａを螺着して組立てることを特徴とする太陽電池モジュール架台。
【請求項２】
ラックｂのフラット状下面部９ａの端縁部を折曲して形成する下方係止部９の所定個所に、孔２付き下向きつかみ金具４を形成する脚部４ａ、４ｂの下方部を切欠する下向き凹部３を嵌込み、平面から突出するボルト１もしくは平面に埋め込まれたナットに螺着するボルトを、前記下向きつかみ金具４の孔２に貫通し、下方ナット２０を螺着せしめ組み立てることを特徴とする太陽電池モジュール架台。
【請求項３】
ラックｂのフラット状上面部８ｂの端縁部を折曲し形成する上方係止部８の所定個所に、上方つかみ金具７を形成する脚部７ａ、７ｂの上方部を切欠する上向き凹部６を嵌込み、中心ボルト１０を前記上方つかみ金具７の孔５と、前記上方つかみ金具７の上方に位置する受け金具ｄの孔１１に夫々貫通して中央ナット２２を螺着し組立てると共に、前記受け金具ｄの上方に一側端縁部１２を上方に折曲する係止部１３を有し、且左側ボルト１４を貫通する孔１５付き左側ブラケットｅと、一側端縁部１６を上方に折曲する係止部１７を有し、且右側ボルト１４ａを貫通する孔１９付き右側ブラケットｅを、前記左側ブラケットｅと前記右側ブラケットｅの係止部１３、１７を対向状にしてセットし、左脚部２８と右脚部２９とを有する孔２１付き押え金具ｆを前記両ブラケットｅ、ｅの係止部１３、１７が前記押え金具ｆの左脚部２８と右脚部２９の内側方に位置するようにして被せると共に、前記左右両側ブラケットｅ、ｅの孔１５、１９に左側ボルト１４と右側ボルト１４ａを挿入し、左ナット２３と右ナット２４を介して太陽電池モジュールｇ、ｇを固着せしめた後、前記中心ボルト１０を前記押え金具ｆの孔２１に貫通し、上方ナット２２ａを螺着して組立てると共に前記ラックｂの折曲形成のフラット状下面部９ａの所定個所に、孔２付き下向きつかみ金具４を形成する脚部４ａ、４ｂの下方部を切欠する下向き切欠部３ａを嵌挿し、前記下向きつかみ金具４の下方に位置する端縁部２７に折曲する係止部２６と孔２５とを有する下方受け金具ｈを配置し、平面から突出するボルト１もしくは平面に埋め込まれたナットに螺着するボルトを、前記下方受け金具ｈの孔２５と、前記下向きつかみ金具４の孔２に夫々貫通し、下方ナット２０を螺着せしめ組み立てることを特徴とする太陽電池モジュール架台。
【請求項４】
前記請求項１に記載のラックｂのフラット状上面部８ｂの端縁部を折曲して形成する上方係止部８が、歯型形状をしていることを特徴とする請求項１に記載の太陽電池モジュール架台。
【請求項５】
前記請求項１に記載の受け金具ｄの左側端部と右側端部を折曲して左脚部３５ａと右脚部３６ａを形成することを特徴とする請求項１に記載の太陽電池モジュール架台。
【請求項６】
請求項１に記載のブラケットｅ、ｅの上方に折曲する係止部１３、１７よりみて、左側端縁部１２ａ、１２ｂと右側端縁部１６ａ、１６ｂを下方に折曲する左係止部１３ａ、１３ｂと右側係止部１７ａ、１７ｂを形成せしめることを特徴とする請求項１に記載の太陽電池モジュール架台。
【請求項７】
請求項１に記載の押え金具ｆの左右両側端部を折曲して形成の対向状左脚部２８と右脚部２９に切欠部３０、３１を形成することを特徴とする請求項１に記載の太陽電池モジュール架台。
【請求項８】
前記請求項２に記載の下向きつかみ金具４の下方部位に、端縁部２７に折曲する係止部２６と孔２５とを有する下方受け金具ｈを付加配置せしめることを特徴とする請求項２に記載の太陽電池モジュール架台。
【請求項９】
前記請求項２に記載のラックｂのフラット状下面部９ａの端縁部を折曲して形成する下方係止部９に歯型形状を形成せしめることを特徴とする請求項２に記載の太陽電池モジュール架台。
【請求項１０】
請求項３に記載のラックｂの底部を折曲して形成のフラット状下面部９ａを歯型形状とすることを特徴とする請求項３に記載の太陽電池モジュール架台。
【請求項１１】
請求項３に記載の上方つかみ金具７の上方に位置する上方受け金具ｄの形状を、中央に孔３２を形成し、且左右両側端縁部３３、３４を上方に折曲する係止部３５、３６を、前記孔３２の左右両側に下方に折曲する脚部３７、３８を形成せしめることを特徴とする請求項３に記載の太陽電池モジュール架台。
【請求項１２】
請求項３に記載のブラケットｅ、ｅの上方に折曲する係止部１３、１７よりみて、左側端縁部１２ａ、１２ｂと右側端縁部１６ａ、１６ｂを下方に折曲する左側係止部１３ａ、１３ｂと右側係止部１７ａ、１７ｂを形成せしめることを特徴とする請求項３に記載の太陽電池モジュール架台。
【請求項１３】
請求項３に記載の押え金具ｆの左右両側端部を折曲して形成の対向状左脚部２８と右脚部２９に切欠部３０、３１を形成することを特徴とする請求項３に記載の太陽電池モジュール架台。
【発明の詳細な説明】
【技術分野】
【０００１】
本発明は、太陽電池モジュール架台の技術分野に関するものである。
【背景技術】
【０００２】
従来の太陽電池モジュール架台として、特許第４３６１６００号（太陽電池モジュールの架台固定金具及び固定方法）が開示されている。
【０００３】
しかし、前記特許の特許公報に掲載されているモジュールまたは土台が、前記Ｃ型鋼等の長尺部材の所定個所にボルト孔を開けてボルトとナットで螺着し接続されている。
【０００４】
そのため、前記土台等の位置に即応せしめて、その都度前記長尺架台のボルト孔の位置を設計する必要があり、設計及び製造管理コストが必然的に昂騰せざるを得なかった。
【０００５】
さらに、前記モジュールは、メーカー毎にモジュールのボルト孔の位置が異なるため、モジュールの仕様に応じてその都度、架台のボルト孔の位置を設計する必要があり、設計・製造管理コストが高騰するという弊害があった。
【０００６】
また、建設工事の施工誤差によって、土台の位置に著しいズレ（架台のボルト孔を長孔にしても、吸収できないほどのズレ）が生じていた場合、施工現場にて架台のボルト孔の開け直し作業が発生するため、施工性が低下するおそれがあった。その対策として、長孔寸法の著しい拡大を行えば、架台の強度低下が懸念されていた。
【０００７】
さらに、従来開示の特許法第４３６１６００号（太陽電池モジュールの固定金具及び固定装置）は、多様な土台及びモジュール毎に、架台のボルト孔の位置を設計しているため、その都度専用設計の架台となっている。
【０００８】
また従来開示の特許第３７３０８４１号（太陽光発電装置付カーポート）は、長尺部品を使用しているが、この部品はアルミの押し出し成型品であり材料費等の昂騰を惹起する恐れがある。
【先行技術文献】
【特許文献】
【０００９】
【特許文献１】特許第４３６１６００号公報
【特許文献２】特許第３７３０８４１号公報
【発明の概要】
【発明が解決しようとする課題】
【００１０】
本発明は、つかみ金具で所定部位の架台を挟み込む機構とすることによって、前記架台にボルト孔を開ける作業が不要となり、土台およびモジュールを架台の任意の位置で接続できるようにした。
【００１１】
さらに、本発明は、架台に歯型形状を施し、且、つかみ金具に切り欠きを施し、双方を噛み合わせることで、金具の横滑りが生じないようにした。
【００１２】
また、本発明は、構成される部品同士の平行度及び直交度を良好に保持できるようにすると共に、各部品が補強されるようにして、太陽電池モジュールの連結強度を強化した。
【課題を解決するための手段】
【００１３】
上記課題を解決するための手段として、請求項１記載の発明は、ラックｂのフラット状上面部８ｂの端縁部を折曲し形成する上方係止部８の所定個所に、上方つかみ金具７を形成する脚部７ａ、７ｂの上方部を切欠する上向き凹部６を嵌込み、中心ボルト１０を前記上方つかみ金具７の孔５と、前記上方つかみ金具７の上方に位置する上方受け金具ｄの孔１１に夫々貫通して中央ナット２２を螺着し組立てると共に、前記受け金具ｄの上方に一側端縁部１２を上方に折曲する係止部１３を有し、且左側ボルト１４を貫通する孔１５付き左側ブラケットｅと、一側端縁部１６を上方に折曲する係止部１７を有し、且右側ボルト１４ａを貫通する孔１９付き右側ブラケットｅを、前記左側ブラケットｅと前記右側ブラケットｅの係止部１３、１７を対向状にしてセットし、左脚部２８と右脚部２９とを有する孔２１付き押え金具ｆを前記両ブラケットｅ、ｅの係止部１３、１７が前記押え金具ｆの左脚部２８と右脚部２９の内側方に位置するようにして被せると共に、前記左右両側ブラケットｅ、ｅの孔１５、１９に左側ボルト１４と右側ボルト１４ａを挿入し、左ナット２３と右ナット２４を介して太陽電池モジュールｇ、ｇを固着せしめた後、前記中心ボルト１０を前記押え金具ｆの孔２１に貫通し、上方ナット２３ａを螺着して組立てることを特徴とする太陽電池モジュール架台である。
【００１４】
上記課題を解決するための手段として、請求項２記載の発明は、ラックｂのフラット状下面部９ａの端縁部を折曲して形成する下方係止部９の所定個所に、孔２付き下向きつかみ金具４を形成する脚部４ａ、４ｂの下方部を切欠する下向き凹部３を嵌込み、平面から突出するボルト１もしくは平面に埋め込まれたナットに螺着するボルトを、前記下向きつかみ金具４の孔２に貫通し、下方ナット２０を螺着せしめ組み立てることを特徴とする太陽電池モジュール架台である。
【００１５】
上記課題を解決するための手段として、請求項３記載の発明は、ラックｂのフラット状上面部８ｂの端縁部を折曲し形成する上方係止部８の所定個所に、上方つかみ金具７を形成する脚部７ａ、７ｂの上方部を切欠する上向き凹部６を嵌込み、中心ボルト１０を前記上方つかみ金具７の孔５と、前記上方つかみ金具７の上方に位置する受け金具ｄの孔１１に夫々貫通して中央ナット２２を螺着し組立てると共に、前記受け金具ｄの上方に一側端縁部１２を上方に折曲する係止部１３を有し、且左側ボルト１４を貫通する孔１５付き左側ブラケットｅと、一側端縁部１６を上方に折曲する係止部１７を有し、且右側ボルト１４ａを貫通する孔１９付き右側ブラケットｅを、前記左側ブラケットｅと前記右側ブラケットｅの係止部１３、１７を対向状にしてセットし、左脚部２８と右脚部２９とを有する孔２１付き押え金具ｆを前記両ブラケットｅ、ｅの係止部１３、１７が前記押え金具ｆの左脚部２８と右脚部２９の内側方に位置するようにして被せると共に、前記左右両側ブラケットｅ、ｅの孔１５、１９に左側ボルト１４と右側ボルト１４ａを挿入し、左ナット２３と右ナット２４を介して太陽電池モジュールｇ、ｇを固着せしめた後、前記中心ボルト１０を前記押え金具ｆの孔２１に貫通し、上方ナット２２ａを螺着して組立てると共に前記ラックｂの折曲形成のフラット状下面部９ａの所定個所に、孔２付き下向きつかみ金具４を形成する脚部４ａ、４ｂの下方部を切欠する下向き切欠部３ａを嵌挿し、前記下向きつかみ金具４の下方に位置する端縁部２７に折曲する係止部２６と孔２５とを有する下方受け金具ｈを配置し、平面から突出するボルト１もしくは平面に埋め込まれたナットに螺着するボルトを、前記下方受け金具ｈの孔２５と、前記下向きつかみ金具４の孔２に夫々貫通し、下方ナット２０を螺着せしめ組み立てることを特徴とする太陽電池モジュール架台である。
【００１６】
上記課題を解決するための手段として、請求項４記載の発明は、前記請求項１に記載のラックｂのフラット状上面部８ｂの端縁部を折曲して形成する上方係止部８が、歯型形状をしていることを特徴とする請求項１に記載の太陽電池モジュール架台である。
【００１７】
上記課題を解決するための手段として、請求項５記載の発明は、前記請求項１に記載の受け金具ｄの左側端部と右側端部を折曲して左脚部３５ａと右脚部３６ａを形成することを特徴とする請求項１に記載の太陽電池モジュール架台。
である。
【００１８】
上記課題を解決するための手段として、請求項６記載の発明は、請求項１に記載のブラケットｅ、ｅの上方に折曲する係止部１３、１７よりみて、左側端縁部１２ａ、１２ｂと右側端縁部１６ａ、１６ｂを下方に折曲する左係止部１３ａ、１３ｂと右側係止部１７ａ、１７ｂを形成せしめることを特徴とする請求項１に記載の太陽電池モジュール架台である。
【００１９】
上記課題を解決するための手段として、請求項７記載の発明は、請求項１に記載の押え金具ｆの左右両側端部を折曲して形成の対向状左脚部２８と右脚部２９に切欠部３０、３１を形成することを特徴とする請求項１に記載の太陽電池モジュール架台である。
【００２０】
上記課題を解決するための手段として、請求項８記載の発明は、前記請求項２に記載の下向きつかみ金具４の下方部位に、端縁部２７に折曲する係止部２６と孔２５とを有する下方受け金具ｈを付加配置せしめることを特徴とする請求項２に記載の太陽電池モジュール架台である。
【００２１】
上記課題を解決するための手段として、請求項９記載の発明は、前記請求項２に記載のラックｂのフラット状下面部９ａの端縁部を折曲して形成する下方係止部９に歯型形状を形成せしめることを特徴とする請求項２に記載の太陽電池モジュール架台である。
【００２２】
上記課題を解決するための手段として、請求項１０記載の発明は、請求項３に記載のラックｂの底部を折曲して形成のフラット状下面部９ａを歯型形状とすることを特徴とする請求項３に記載の太陽電池モジュール架台である。
【００２３】
上記課題を解決するための手段として、請求項１１記載の発明は、請求項３に記載の上方つかみ金具７の上方に位置する上方受け金具ｄの形状を、中央に孔３２を形成し、且左右両側端縁部３３、３４を上方に折曲する係止部３５、３６を、前記孔３２の左右両側に下方に折曲する脚部３７、３８を形成せしめることを特徴とする請求項３に記載の太陽電池モジュール架台である。
【００２４】
上記課題を解決するための手段として、請求項１２記載の発明は、請求項３に記載のブラケットｅ、ｅの上方に折曲する係止部１３、１７よりみて、左側端縁部１２ａ、１２ｂと右側端縁部１６ａ、１６ｂを下方に折曲する左側係止部１３ａ、１３ｂと右側係止部１７ａ、１７ｂを形成せしめることを特徴とする請求項３に記載の太陽電池モジュール架台である。
【００２５】
上記課題を解決するための手段として、請求項１３記載の発明は、請求項３に記載の押え金具ｆの左右両側端部を折曲して形成の対向状左脚部２８と右脚部２９に切欠部３０、３１を形成することを特徴とする請求項３に記載の太陽電池モジュール架台である。
【発明の効果】
【００２６】
請求項１に記載の発明は、ラックｂのフラット状上面部８ｂの端縁部を折曲し形成する上方係止部８の所定個所に、上方つかみ金具７を形成する脚部７ａ、７ｂの上方部を切欠する上向き凹部６を嵌込み、中心ボルト１０を前記上方つかみ金具７の孔５と、前記上方つかみ金具７の上方に位置する上方受け金具ｄの孔１１に夫々貫通して中央ナット２２を螺着し組立てると共に、前記受け金具ｄの上方に一側端縁部１２を上方に折曲する係止部１３を有し、且左側ボルト１４を貫通する孔１５付き左側ブラケットｅと、一側端縁部１６を上方に折曲する係止部１７を有し、且右側ボルト１４ａを貫通する孔１９付き右側ブラケットｅを、前記左側ブラケットｅと前記右側ブラケットｅの係止部１３、１７を対向状にしてセットし、左脚部２８と右脚部２９とを有する孔２１付き押え金具ｆを前記両ブラケットｅ、ｅの係止部１３、１７が前記押え金具ｆの左脚部２８と右脚部２９の内側方に位置するようにして被せると共に、前記左右両側ブラケットｅ、ｅの孔１５、１９に左側ボルト１４と右側ボルト１４ａを挿入し、左ナット２３と右ナット２４を介して太陽電池モジュールｇ、ｇを固着せしめた後、前記中心ボルト１０を前記押え金具ｆの孔２１に貫通し、上方ナット２３ａを螺着して組立てる太陽電池モジュール架台なので、土台やモジュールの仕様が変化しても、本発明の架台が兼用できると共に、汎用性の面において極めてすぐれた利点がある。
【００２７】
さらに、本発明は、土台の位置ずれによる作業効率の低下防止に役立つと共に、モジュール位置の微調整による美観向上が可能となり、施工性が極めて良好となった。
【００２８】
また本発明は、架台への孔位置の設計が不要なので、設計、製造管理コストを削減できる。
【００２９】
また本発明で、特徴を持たせた金具部品は、鋼板を加工してできる形状であり、また小型である。すなわちプレス加工で大量生産できるため、製造コストは安価である。
特許第３７３０８４１号で使用している長尺部品は、アルミ材の押出成形品でなければ製作できないと推測される形状であるが、本発明で使用する長尺部品（架台）は、鋼板をロールフォーミングするため、材料費・加工費ともに安価である。
さらに、本発明の長尺部品（架台）の断面形状は、ＪＩＳ規格等の一般流通部材と共通しており、特徴を持たせていないため、既存のロールフォーミングの機械を流用可能なため、設備コストが極めて小さい。
よって、金具部品に特徴を持たせた結果、長尺部品に大きな特徴を持たない本発明品は、上記３点の効果により、トータル的な製造コストは極めて安価である。
【００３０】
請求項２に記載の発明は、ラックｂのフラット状下面部９ａの端縁部を折曲して形成する下方係止部９の所定個所に、孔２付き下向きつかみ金具４を形成する脚部４ａ、４ｂの下方部を切欠する下向き凹部３を嵌込み、平面から突出するボルト１もしくは平面に埋め込まれたナットに螺着するボルトを、前記下向きつかみ金具４の孔２に貫通し、下方ナット２０を螺着せしめ組み立てる太陽電池モジュール架台なので、前記請求項１に記載の発明と同じ効果を有している。
【００３１】
請求項３に記載の発明は、ラックｂのフラット状上面部８ｂの端縁部を折曲し形成する上方係止部８の所定個所に、上方つかみ金具７を形成する脚部７ａ、７ｂの上方部を切欠する上向き凹部６を嵌込み、中心ボルト１０を前記上方つかみ金具７の孔５と、前記上方つかみ金具７の上方に位置する受け金具ｄの孔１１に夫々貫通して中央ナット２２を螺着し組立てると共に、前記受け金具ｄの上方に一側端縁部１２を上方に折曲する係止部１３を有し、且左側ボルト１４を貫通する孔１５付き左側ブラケットｅと、一側端縁部１６を上方に折曲する係止部１７を有し、且右側ボルト１４ａを貫通する孔１９付き右側ブラケットｅを、前記左側ブラケットｅと前記右側ブラケットｅの係止部１３、１７を対向状にしてセットし、左脚部２８と右脚部２９とを有する孔２１付き押え金具ｆを前記両ブラケットｅ、ｅの係止部１３、１７が前記押え金具ｆの左脚部２８と右脚部２９の内側方に位置するようにして被せると共に、前記左右両側ブラケットｅ、ｅの孔１５、１９に左側ボルト１４と右側ボルト１４ａを挿入し、左ナット２３と右ナット２４を介して太陽電池モジュールｇ、ｇを固着せしめた後、前記中心ボルト１０を前記押え金具ｆの孔２１に貫通し、上方ナット２２ａを螺着して組立てると共に前記ラックｂの折曲形成のフラット状下面部９ａの所定個所に、孔２付き下向きつかみ金具４を形成する脚部４ａ、４ｂの下方部を切欠する下向き切欠部３ａを嵌挿し、前記下向きつかみ金具４の下方に位置する端縁部２７に折曲する係止部２６と孔２５とを有する下方受け金具ｈを配置し、平面から突出するボルト１もしくは平面に埋め込まれたナットに螺着するボルトを、前記下方受け金具ｈの孔２５と、前記下向きつかみ金具４の孔２に夫々貫通し、下方ナット２０を螺着せしめ組み立てる太陽電池モジュール架台なので、前記請求項１に記載の発明と同じ効果を有している。
【００３２】
請求項４に記載の発明は、前記請求項１に記載のラックｂのフラット状上面部８ｂの端縁部を折曲して形成する上方係止部８が、歯型形状をしている太陽電池モジュール架台なので、前記請求項１に記載の発明と同じ効果を有する。
【００３３】
さらに、本発明は、架台に歯型形状を施し、且つかみ金具に切り欠きを施し、双方を噛み合せることで金具の横滑りが生じないようにして、信頼性を著しく高めた。
【００３４】
請求項５に記載の発明は、前記請求項１に記載の受け金具ｄの左側端部と右側端部を折曲して左脚部３５ａと右脚部３６ａを形成する太陽電池モジュール架台なので、前記請求項１に記載の発明と同じ効果を有している。
【００３５】
さらに、本発明は、施工現場での組立てが容易で施工性にすぐれていると共に、モジュールにかかる風圧荷重に対する強度アップが可能であり信頼性にすぐれている。
【００３６】
請求項６に記載の発明は、請求項１に記載のブラケットｅ、ｅの上方に折曲する係止部１３、１７よりみて、左側端縁部１２ａ、１２ｂと右側端縁部１６ａ、１６ｂを下方に折曲する左係止部１３ａ、１３ｂと右側係止部１７ａ、１７ｂを形成せしめる太陽電池モジュール架台なので、前記請求項１に記載の発明と同じ効果を有している
【００３７】
さらに、本発明は、施工現場での組立てが容易で施工性にすぐれ、且モジュールにかかる風圧荷重に対する強度アップが可能となり信頼性にすぐれている。
【００３８】
請求項７に記載の発明は、請求項１に記載の押え金具ｆの左右両側端部を折曲して形成の対向状左脚部２８と右脚部２９に切欠部３０、３１を形成する太陽電池モジュール架台なので、前記請求項１及び同５、６に記載の発明と同様に、施工性と信頼性にすぐれている。
【００３９】
請求項８に記載の発明は、前記請求項２に記載の下向きつかみ金具４の下方部位に、端縁部２７に折曲する係止部２６と孔２５とを有する下方受け金具ｈを付加配置せしめる太陽電池モジュール架台なので、前記請求項２に記載の発明と同じく汎用性にすぐれた利点がある。
【００４０】
請求項９に記載の発明は、前記請求項２に記載のラックｂのフラット状下面部９ａの端縁部を折曲して形成する下方係止部９に歯型形状を形成せしめる太陽電池モジュール架台なので、前記請求項２に記載の発明と同じ効果を有していると共に、モジュールにかかる風圧荷重に対する強度アップが可能であるという信頼性を有している。
【００４１】
請求項１０に記載の発明は、請求項３に記載のラックｂの底部を折曲して形成のフラット状下面部９ａを歯型形状とする太陽電池モジュール架台なので、前記請求項３に記載の発明と同じ効果と、前記と同様信頼性にすぐれた利点を有している。
【００４２】
請求項１１に記載の発明は、請求項３に記載の上方つかみ金具７の上方に位置する上方受け金具ｄの形状を、中央に孔３２を形成し、且左右両側端縁部３３、３４を上方に折曲する係止部３５、３６を、前記孔３２の左右両側に下方に折曲する脚部３７、３８を形成せしめる太陽電池モジュール架台なので、前記請求項３に記載の発明と同じ効果と、施工性と信頼性にすぐれた利点を併有している。
【００４３】
請求項１２に記載の発明は、請求項３に記載のブラケットｅ、ｅの上方に折曲する係止部１３、１７よりみて、左側端縁部１２ａ、１２ｂと右側端縁部１６ａ、１６ｂを下方に折曲する左側係止部１３ａ、１３ｂと右側係止部１７ａ、１７ｂを形成せしめる太陽電池モジュール架台なので、前記請求項３に記載の発明と同じ施工性と信頼性にすぐれた利点を併有している。
【００４４】
請求項１３に記載の発明は、請求項３に記載の押え金具ｆの左右両側端部を折曲して形成の対向状左脚部２８と右脚部２９に切欠部３０、３１を形成する太陽電池モジュール架台なので、前記請求項３に記載の発明と同じ施工性と信頼性にすぐれた利点を併有している。
【図面の簡単な説明】
【００４５】
【図１】本発明太陽電池モジュール架台の第１実施例の分解正面図である。
【００４６】
【図２】図１の架台の組立て正面図である。
【００４７】
【図３】同ラックの正面図である。
【００４８】
【図４】（Ａ）は同架台を構成するつかみ金具の平面図、（Ｂ）は（Ａ）の正面図、（Ｃ）は（Ｂ）の左側面図である。
【００４９】
【図５】（Ａ）は同架台を構成する受け金具の平面図、（Ｂ）は（Ａ）の正面図、（Ｃ）は（Ｂ）の左側面図である。
【００５０】
【図６】（Ａ）は同架台を構成するブラケットの平面図、（Ｂ）は（Ａ）の正面図、（Ｃ）は（Ｂ）の左側面図である。
【００５１】
【図７】（Ａ）は同架台を構成する押え金具の平面図、（Ｂ）は（Ａ）の正面図、（Ｃ）は（Ｂ）の右側面図である。
【００５２】
【図８】同架台の第２実施例の各構成部材の分解正面図である。
【００５３】
【図９】図８の部材を組立てた状態の正面図である。
【００５４】
【図１０】図８の部材中、ラックの正面図である。
【００５５】
【図１１】（Ａ）は図８における部材の受け金具の平面図、（Ｂ）は（Ａ）の受け金具の左側面図、（Ｃ）は（Ａ）の正面図である。
【００５６】
【図１２】（Ａ）は図８の部材の受け金具の平面図、（Ｂ）は（Ａ）の受け金具の正面図、（Ｃ）は（Ｂ）の左側面図である。
【００５７】
【図１３】（Ａ）は図８の部材のブラケットの平面図、（Ｂ）は（Ａ）のブラケットの正面図、（Ｃ）は（Ｂ）の左側面図である。
【００５８】
【図１４】（Ａ）は図８の部材の押え金具の平面図、（Ｂ）は（Ａ）の押え金具の正面図、（Ｃ）は（Ｂ）の右側面図である。
【００５９】
【図１５】（Ａ）は図８の部材中、つかみ金具の平面図、（Ｂ）は（Ａ）のつかみ金具の正面図、（Ｃ）は（Ｂ）の左側面図である。
【００６０】
【図１６】（Ａ）は図８の部材中、つかみ金具の平面図、（Ｂ）は（Ａ）のつかみ金具の正面図、（Ｃ）は（Ｂ）の左側面図である。
【００６１】
【図１７】同架台の第３実施例の一部切欠組立て正面図である。
【００６２】
【図１８】図１７の組立て架台の平面図である。
【００６３】
【図１９】図１７の架台の一部切欠正面図である。
【００６４】
【図２０】図１７の架台の組立て前の分解正面図である。
【００６５】
【図２１】（Ａ）は図２０の各部材中、受け金具の平面図、（Ｂ）は（Ａ）の受け金具の正面図、（Ｃ）は（Ａ）の左側面図である。
【００６６】
【図２２】（Ａ）は図２０の構成部材のつかみ金具の平面図、（Ｂ）は（Ａ）のつかみ金具の正面図、（Ｃ）は（Ｂ）の左側面図である。
【００６７】
【図２３】（Ａ）は図２０の構成部材の受け金具の平面図、（Ｂ）は（Ａ）の受け金具の正面図、（Ｃ）は（Ｂ）の左側面図である。
【００６８】
【図２４】（Ａ）は図２０の構成部材のブラケットの平面図、（Ｂ）は（Ａ）のブラケットの正面図、（Ｃ）は（Ｂ）の左側面図である。
【００６９】
【図２５】（Ａ）は図２０の構成部材中、押え金具の平面図、（Ｂ）は（Ｃ）の押え金具の右側面図、（Ｃ）は（Ａ）の正面図である。
【００７０】
【図２６】図２０の構成部材中、ラックの一部切欠平面図である。
【００７１】
【図２７】図２６のラック一部切欠正面図である。
【００７２】
【図２８】図２７のラックの右側面図である。
【００７３】
【図２９】同架台の第３実施例の左側面図である。
【００７４】
【図３０】図２９の架台の平面図である。
【００７５】
【図３１】図２９の架台の正面図である。
【００７６】
【図３２】図３１の架台の組立前の分解図である。
【００７７】
【図３３】図２９の架台を構成するラック平面図である。
【００７８】
【図３４】図３３のラックの正面図である。
【００７９】
【図３５】図３４のラックの右側面図である。
【００８０】
【図３６】（Ａ）は図２９の架台の構成部材の中、受け金具の平面図、（Ｂ）は（Ａ）の受け金具の正面図、（Ｃ）は（Ａ）の左側面図である。
【００８１】
【図３７】（Ａ）は図２９の架台の構成部材中、受け金具の平面図、（Ｂ）は（Ａ）の受け金具の正面図、（Ｃ）は（Ｂ）の左側面図である。
【００８２】
【図３８】（Ａ）は図２０の架台を構成するブラケットの平面図、（Ｂ）は（Ａ）のブラケットの正面図、（Ｃ）は（Ｂ）の左側面図である。
【００８３】
【図３９】（Ａ）は図２０の架台を構成する押え金具の平面図、（Ｂ）は（Ｃ）の押え金具の右側面図、（Ｃ）は（Ａ）の正面図である。
【００８４】
【図４０】（Ａ）は図２０の架台を構成するつかみ金具の平面図、（Ｂ）は（Ａ）のつかみ金具の正面図、（Ｃ）は（Ｂ）の左側面図である。
【００８５】
【図４１】（Ａ）は図２０の架台を構成するつかみ金具の平面図、（Ｂ）は（Ａ）のつかみ金具の正面図、（Ｃ）は（Ｂ）の左側面図である。
【発明を実施するための最良の形態】
【００８６】
本発明の請求項１〜１３に関する発明の実施形態は共通しているので、以下のとおり一括して説明する。
【００８７】
請求項１〜２に記載の発明に関する実施形態は、図１〜７に図示されている構成部材からなっている。
【００８８】
さらに、請求項３に記載の発明に関する実施形態は、図８〜１６に図示されている構成部材からなっている。
【００８９】
また、請求項４〜９に記載の発明に関する実施形態は、図１７〜２８に図示されている構成部材からなっている。
【００９０】
請求項１０〜１３に記載の発明に関する実施形態は、図２９〜４１に図示されている構成部材からなっている。
【００９１】
本発明の請求項１〜２に記載の発明の実施形態を説明すると以下のとおりである。
【００９２】
ａは、上面部より突出ボルト１を突設せしめる固定金具である。
【００９３】
ｂは、長尺のラックであり、このラックｂは垂直部８ａの上方部のフラット状上面部８ｂの端縁部を下方に折曲して上方係止部８を形成する。
【００９４】
そして、前記ラックｂの上方係止部８の所定個所に、上方つかみ金具７を形成する脚部７ａ、７ｂの上方部を切欠する上向き凹部６を嵌込み係止する。
【００９５】
しかる後、中心ボルト１０を前記上方つかみ金具７の孔５と、前記上方つかみ金具７の上方に位置する受け金具ｄの孔１１に夫々貫通して中央ナット２２を螺着し組立てる。
【００９６】
前記のように組立てた後、前記受け金具ｄの上方に一側端縁部１２を上方に折曲する係止部１３を有し、且左側ボルト１４を貫通する孔１５付き左側ブラケットｅと、一側端縁部１６を上方に折曲する係止部１７を有し、且右側ボルト１８を貫通する孔１９付き右側ブラケットｅを載置する。そして前記各ブラケットｅ、ｅを前記左側ブラケットｅと前記右側ブラケットｅの係止部１３、１７を対向状となるようにセットする。
【００９７】
そして、左脚部２８と右脚部２９とを有する孔２１付き押え金具ｆを前記両ブラケットｅ、ｅの係止部１３、１７が内側方に位置するようにして被せる。
【００９８】
そして、前記左右両側ブラケットｅ、ｅの孔１５、１９に左側ボルト１４と右側ボルト１４ａを挿入し、左ナット２３と右ナット２４を介して太陽電池モジュールｇ、ｇを固着せしめる。
【００９９】
さらに、前記中心ボルト１０を前記押え金具ｆの孔２１に貫通し、上方ナット２２ａを螺着して組立てる（図２）。
【０１００】
前記上方つかみ金具７は、後述する下方つかみ具４（図４）と同形状である。
【０１０１】
さらに、本発明は、ラックｂの垂直部８ａの下方部のフラット状下面部９ａの端縁部を上方に折曲して形成する下方係止部９の所定個所に、孔２付き下向きつかみ金具４（図４）を構成する脚部４ａ、４ｂの下方部に切欠の下向き凹部３を嵌込みセットする。
【０１０２】
そして、平面から突出するボルト１もしくは平面に埋め込まれたナット（図面なし）に螺着する前記ボルト１と同じ機能を有するボルト（図面なし）を、前記下向きつかみ金具４の孔２に貫通する。
【０１０３】
さらに、前記ボルト１等に下方ナット２０を螺着せしめ図２のように組み立てる。
【０１０４】
上記のように、前記ラックｂの上方部には、モジュールｇ、ｇを固着する架台が組立てられるし、他方前記ラックｂの下方部には、突出ボルト１等を介して下方架台が固着される。
【０１０５】
さらに、請求項３に記載の発明は、ラックｂのフラット状上面部８ｂの端縁部を下方に折曲し形成する上方係止部８の所定個所に、上方つかみ金具７を形成する脚部７ａ、７ｂの上方部を切欠する上向き凹部６を嵌込みセットする。
【０１０６】
そして、中心ボルト１０を前記上方つかみ金具７の孔５と、前記上方つかみ金具７の上方に位置する受け金具ｄの孔１１に夫々貫通して中央ナット２２を螺着し組立てる。
【０１０７】
さらに、前記受け金具ｄの上方に一側端縁部１２を上方に折曲する係止部１３を有し、且左側ボルト１４を貫通する孔１５付き左側ブラケットｅと、一側端縁部１６を上方に折曲する係止部１７を有し、且右側ボルト１８を貫通する孔１９付き右側ブラケットｅを載置する。そして、前記左側ブラケットｅと前記右側ブラケットｅの係止部１３、１７を対向状態にしてセットし、セット後左脚部２８と右脚部２９とを有する孔２１付き押え金具ｆを前記両ブラケットｅ、ｅの係止部１３、１７が内側方に位置するようにして被せる。
【０１０８】
そして、前記左右両側ブラケットｅ、ｅの孔１５、１９に左側ボルト１４と右側ボルト１４ａを挿入し、左ナット２３と右ナット２４を介して太陽電池モジュールｇ、ｇを固着せしめる。さらに、前記中心ボルト１０を前記押え金具ｆの孔２１に貫通し、上方ナット２２ａを螺着して組立てる。
【０１０９】
つぎに、前記の架台とは別個に、前記ラックｂの垂直部８ａの下方部を直角状に折曲して形成のフラット状下面部９ａの所定個所に、孔２付き下向きつかみ金具４を形成する脚部４ａ、４ｂの下方部を切欠する下向き切欠部３ａを嵌挿する。
【０１１０】
そして、前記下向きつかみ金具４の下方に位置する端縁部２７に折曲する係止部２６と孔２５とを有する下方受け金具ｈを配置する。
【０１１１】
さらに、平面から突出するボルト１もしくは平面に埋め込まれたナット（図面なし）に螺着するボルト（図面なし）を、前記下方受け金具ｈの孔２５と、前記下向きつかみ金具４の孔２に夫々貫通し、下方ナット２０を螺着せしめ下方架台を組み立てる。
【０１１２】
請求項４に記載の架台につき説明する。
【０１１３】
本発明は、前記請求項１に記載のラックｂを、同じラックｂのフラット状上面部８ｂの端縁部を折曲して形成する上方係止部８が、歯型形状をしている。
【０１１４】
さらに、請求項５に記載の発明は、前記請求項１に記載の上方受け金具ｄを、同金具ｄの左側端部と右側端部を折曲して左脚部３５ａと右脚部３６ａを形成する。
【０１１５】
また、請求項６の発明は、請求項１に記載のブラケットｅ、ｅを、同ブラケットｅ、ｅの上方に折曲する係止部１３、１７よりみて、左側端縁部１２ａ、１２ｂと右側端縁部１６ａ、１６ｂを下方に折曲する左係止部１３ａ、１３ｂと右側係止部１７ａ、１７ｂを形成せしめる。
【０１１６】
さらに、請求項７の発明は、請求項１に記載の押え金具ｆを、同金具ｆの左右両側端部を折曲して形成の対向状左脚部２８と右脚部２９に切欠部３０、３１を形成する。
【０１１７】
請求項８の発明は、前記請求項２に記載の下向きつかみ金具４を、同金具４の下方部位に、端縁部２７を折曲する係止部２６と孔２５とを有する下方受け金具ｈを付加配置せしめる。
【０１１８】
さらに、請求項９の発明は、前記請求項２に記載のラックｂを、同ラックｂのフラット状下面部９ａの端縁部を折曲して形成する下方係止部９に歯型形状を形成せしめる。
【０１１９】
また、請求項１０の発明は、請求項３に記載のラックｂを、同ラックｂの底部を折曲して形成のフラット状下面部９ａを歯型形状とする。
【０１２０】
さらに、請求項１１の発明は、請求項３に記載の上方つかみ金具７を、同金具７の上方に位置する上方受け金具ｄの形状を、中央に孔３２を形成し、且左右両側端縁部３３、３４を上方に折曲する係止部３５、３６を、前記孔３２の左右両側に下方に折曲する脚部３７、３８を形成する。
【０１２１】
請求項１２の発明は、請求項３に記載のブラケットｅ、ｅを、両ブラケットｅ、ｅの上方に折曲する係止部１３、１７を基点にして、左側端縁部１２ａ、１２ｂと右側端縁部１６ａ、１６ｂを下方に折曲する左側係止部１３ａ、１３ｂと右側係止部１７ａ、１７ｂを形成する。
【０１２２】
さらに、請求項１３の発明は、請求項３に記載の押え金具ｆを、同金具ｆの左右両側端部を折曲して形成の対向状左脚部２８と右脚部２９に夫々切欠部３０、３１を形成する。
【符号の説明】
【０１２３】
ａ        固定金具
ｂ        ラック
ｄ        上方受け金具
ｅ        ブラケット
ｆ        押え金具
ｇ        太陽電池モジュール
ｈ        下方受け金具
１        突出ボルト
２        孔
３        凹部
３ａ      切欠部
４        下向きつかみ金具
４ａ      脚部
４ｂ      脚部
５        孔
６        上向き凹部
７        上方つかみ金具
７ａ      脚部
７ｂ      脚部
８        上方係止部
８ａ      垂直部
８ｂ      上面部
９        下方係止部
９ａ      下面部
１０      中心ボルト
１１      孔
１２      一側端縁部
１２ａ    左側端縁部
１２ｂ    左側端縁部
１３      係止部
１３ａ    左係止部
１３ｂ    左係止部
１４      左側ボルト
１４ａ    右側ボルト
１５      孔
１６      一側端縁部
１６ａ    右側端縁部
１６ｂ    右側端縁部
１７      係止部
１７ａ    右側係止部
１７ｂ    右側係止部
１９      孔
２０      下方ナット
２１      孔
２２      中央ナット
２２ａ    上方ナット
２３      左ナット
２４      右ナット
２５      孔
２６      係止部
２７      端縁部
２８      左脚部
２９      右脚部
３０      切欠部
３１      切欠部
３２      孔
３３      左側端縁部
３４      右側端縁部
３５      係止部
３５ａ    左脚部
３６      係止部
３６ａ    右脚部
３７      脚部
３８      脚部
【図１】
2011181565.tif 000003
【図２】
2011181565.tif 000004
【図３】
2011181565.tif 000005
【図４】
2011181565.tif 000006
【図５】
2011181565.tif 000007
【図６】
2011181565.tif 000008
【図７】
2011181565.tif 000009
【図８】
2011181565.tif 000010
【図９】
2011181565.tif 000011
【図１０】
2011181565.tif 000012
【図１１】
2011181565.tif 000013
【図１２】
2011181565.tif 000014
【図１３】
2011181565.tif 000015
【図１４】
2011181565.tif 000016
【図１５】
2011181565.tif 000017
【図１６】
2011181565.tif 000018
【図１７】
2011181565.tif 000019
【図１８】
2011181565.tif 000020
【図１９】
2011181565.tif 000021
【図２０】
2011181565.tif 000022
【図２１】
2011181565.tif 000023
【図２２】
2011181565.tif 000024
【図２３】
2011181565.tif 000025
【図２４】
2011181565.tif 000026
【図２５】
2011181565.tif 000027
【図２６】
2011181565.tif 000028
【図２７】
2011181565.tif 000029
【図２８】
2011181565.tif 000030
【図２９】
2011181565.tif 000031
【図３０】
2011181565.tif 000032
【図３１】
2011181565.tif 000033
【図３２】
2011181565.tif 000034
【図３３】
2011181565.tif 000035
【図３４】
2011181565.tif 000036
【図３５】
2011181565.tif 000037
【図３６】
2011181565.tif 000038
【図３７】
2011181565.tif 000039
【図３８】
2011181565.tif 000040
【図３９】
2011181565.tif 000041
【図４０】
2011181565.tif 000042
【図４１】
2011181565.tif 000043